(57)【要約】【課題】エンジンとエンジンに供給される燃料を貯蔵する燃料タンクとを備えた作業機等において従来構成の如くタンク重量測定器や燃料性状センサといった不正規燃料の混入を検出する検出構成を設けることなく、不正規燃料の混入を検出することができる構成を提示する。【解決手段】エンジンとエンジンに供給される燃料を貯蔵する燃料タンクとを備えた作業機または船舶から、該作業機または該船舶を識別する情報である識別情報および所定の稼動データを受信する遠隔サーバである。遠隔サーバは、作業機または船舶から、稼動データとして燃料タンクに燃料が供給されたか否かを示す燃料供給情報およびエンジン排気温度を受信し、燃料供給情報に基づいて燃料供給時期を判定し、判定した燃料供給時期を挟む期間でのエンジン排気温度の変化状態に基づいて正規の燃料とは異なる不正規燃料の混入を検出する。【選択図】図１１
2015151910.tif 000002
【特許請求の範囲】
【請求項１】
エンジンと前記エンジンに供給される燃料を貯蔵する燃料タンクとを備えた作業機または船舶から、該作業機または該船舶を識別する情報である識別情報および所定の稼動データを受信する遠隔サーバであって、
前記作業機または前記船舶から、前記稼動データとして前記燃料タンクに燃料が供給されたか否かを示す燃料供給情報および前記エンジンの排気温度であるエンジン排気温度を受信し、前記燃料供給情報に基づいて燃料供給時期を判定し、判定した前記燃料供給時期を挟む期間での前記エンジン排気温度の変化状態に基づいて正規の燃料とは異なる不正規燃料の混入を検出することを特徴とする遠隔サーバ。
【請求項２】
請求項１に記載の遠隔サーバであって、
前記不正規燃料を検出した前記識別情報に基づいて前記作業機または前記船舶の管理元を特定し、特定した前記管理元に、当該作業機または当該船舶に前記不正規燃料が混入された可能性があることを通知することを特徴とする遠隔サーバ。
【請求項３】
請求項１または請求項２に記載の遠隔サーバであって、
前記不正規燃料を検出した前記識別情報と関連付けて前記不正規燃料の混入の可能性を履歴として保存することを特徴とする遠隔サーバ。
【発明の詳細な説明】
【技術分野】
【０００１】
本発明は、エンジンとエンジンに供給される燃料を貯蔵する燃料タンクとを備えた作業機等において正規の燃料とは異なる不正規燃料の混入を検出する技術に関する。
【背景技術】
【０００２】
エンジンとエンジンに供給される燃料を貯蔵する燃料タンクとを備えた作業機等において正規の燃料とは異なる不正規燃料の混入を検出する技術は、従来から公知となっている。
【０００３】
例えば、特許文献１は、エンジンとエンジンに供給される燃料を貯蔵する燃料タンクとを備えた作業機において、タンク重量測定器や燃料性状センサを用いて不正燃料の混入を検知したときに遠隔の作業指令所にその旨を送信する構成を開示している（特許文献１の図４、図５および段落［００２６］，［００２８］参照）。
【先行技術文献】
【特許文献】
【０００４】
【特許文献１】特開２０１１−１０６４２５号公報
【発明の概要】
【発明が解決しようとする課題】
【０００５】
しかしながら、特許文献１は、不正燃料の混入を検知するためのタンク重量測定器や燃料性状センサを別途必要とする構成であり、不正規燃料の混入を検出する検出構成が複雑化する。
【０００６】
そこで、本発明は、エンジンとエンジンに供給される燃料を貯蔵する燃料タンクとを備えた作業機等において従来構成の如くタンク重量測定器や燃料性状センサといった不正規燃料の混入を検出する検出構成を設けることなく、不正規燃料の混入を検出することができる構成を提示することを目的とする。
【課題を解決するための手段】
【０００７】
本発明者の知見によれば、不正規燃料でのエンジンの排気温度であるエンジン排気温度は、正規の燃料でのエンジン排気温度に対して変化する。例えば、正規の燃料が軽油である場合、軽油に灯油を混入すると、同出力、同回転、同周囲温度においてエンジン排気温度は高くなる。
【０００８】
本発明は、かかる知見に基づくものであり、前記課題を解決するために、エンジンと前記エンジンに供給される燃料を貯蔵する燃料タンクとを備えた作業機または船舶から、該作業機または該船舶を識別する情報である識別情報および所定の稼動データを受信する遠隔サーバであって、前記作業機または前記船舶から、前記稼動データとして前記燃料タンクに燃料が供給されたか否かを示す燃料供給情報および前記エンジンの排気温度であるエンジン排気温度を受信し、前記燃料供給情報に基づいて燃料供給時期を判定し、判定した前記燃料供給時期を挟む期間での前記エンジン排気温度の変化状態に基づいて正規の燃料とは異なる不正規燃料の混入を検出することを特徴とする遠隔サーバを提供する。
【０００９】
ここで、「正規の燃料」は、カタログや使用説明書等の製品仕様書に記載されている燃料であって正規に販売された燃料（例えば軽油引取税が正規に課されている燃料）である。例えば、カタログや使用説明書等の製品仕様書において前記作業機または前記船舶における前記エンジンに対して軽油を用いることが記載されている場合、軽油に灯油等の軽油以外の燃料を混ぜた混合燃料や、灯油等の軽油以外の燃料そのものが「不正規燃料」となる。
【００１０】
また、前記燃料タンクに燃料が供給されたか否かを示す前記燃料供給情報としては、前記燃料タンクにおける扉が開閉されたか否かを示す開閉情報や、前記燃料タンクにおける燃料の残量を検知する残量センサ（例えば重量センサや高さセンサ）からの前記燃料タンクにおける燃料の残量を示す残量情報を例示できる。例えば、前記燃料供給情報が前記開閉情報である場合、前記開閉情報を検出することで前記燃料供給時期を確実に判定することができ、前記燃料供給情報が前記残量情報である場合、前記残量情報により前記燃料タンクにおける燃料が増加したことを検出することで前記燃料供給時期を確実に判定することができる。また、前記燃料供給情報が前記開閉情報および前記残量情報の双方である場合、前記開閉情報を検出し、かつ、前記残量情報により前記燃料タンクにおける燃料が増加したことを検出することで前記燃料供給時期をさらに確実に判定することができる。
【００１１】
本発明において、前記不正規燃料を検出した前記識別情報に基づいて前記作業機または前記船舶の管理元を特定し、特定した前記管理元に、当該作業機または当該船舶に前記不正規燃料が混入された可能性があることを通知する態様を例示できる。
【００１２】
本発明において、前記不正規燃料を検出した前記識別情報と関連付けて前記不正規燃料の混入の可能性を履歴として保存する態様を例示できる。
【発明の効果】
【００１３】
以上説明したように、本発明によると、エンジンと前記エンジンに供給される燃料を貯蔵する燃料タンクとを備えた作業機または船舶において従来構成の如くタンク重量測定器や燃料性状センサといった不正規燃料の混入を検出する検出構成を設けることなく、不正規燃料の混入を検出することが可能となる。
【図面の簡単な説明】
【００１４】
【図１】農業機械を遠隔監視する遠隔監視システムを模式的に示す概略構成図である。
【図２】遠隔監視端末装置を備えた農業機械の概略構成を示すブロック図である。
【図３】農業機械における遠隔監視端末装置の概略構成を示すブロック図である。
【図４】遠隔監視端末装置の制御部における各種データ送信制御部による各種データ送信機能の動作過程を模式的に示す動作図である。
【図５】遠隔監視端末装置の各種データ記憶部に格納されたデータ例を模式的に示すデータ構造図である。
【図６】各種データ送信制御部による制御動作の一例を示すフローチャートである。
【図７】第１実施形態の遠隔サーバにおける制御部の概略構成を示すブロック図である。
【図８】エンジン回転数に対するエンジン負荷率に応じた正規の燃料での基準エンジン排気温度の第１変換テーブルの一例を示す図表である。
【図９】エンジン回転数に対するエンジン負荷率に応じた正規の燃料での基準エンジン排気温度の第２変換テーブルの一例を示す図表である。
【図１０】不正規燃料を検出したときに記憶部に保存される識別情報、管理元情報、不正規燃料検出年月日を含むデータ構造を模式的に示す模式図である。
【図１１】第１実施形態の遠隔サーバにおける制御部による制御動作の一例を示すフローチャートである。
【図１２】第２実施形態の遠隔サーバにおける制御部の概略構成を示すブロック図である。
【図１３】外気温度の温度範囲毎のエンジン回転数に対するエンジン負荷率に応じたエンジン排気温度を記憶部に記憶する設定テーブルの一例を示す図表である。
【図１４】第２実施形態の遠隔サーバにおける制御部による制御動作の一例を示すフローチャートである。
【発明を実施するための形態】
【００１５】
以下、本発明の実施の形態について作業機または船舶としてコンバイン、耕耘機や田植機等の農業機械を例にとって添付図面を参照しつつ説明する。
【００１６】
［遠隔監視システムの全体構成について］
図１は、農業機械１１０，…を遠隔監視する遠隔監視システム１００を模式的に示す概略構成図である。図２は、遠隔監視端末装置２００を備えた農業機械１１０，…の概略構成を示すブロック図である。また、図３は、農業機械１１０における遠隔監視端末装置２００の概略構成を示すブロック図である。
【００１７】
図１に示すように、遠隔監視システム１００は、１つまたは複数（ここでは複数）の農業機械（作業機の一例）１１０，…と、農業機械１１０，…にそれぞれ設けられた遠隔監視端末装置２００と、遠隔監視端末装置２００に通信網１４０を介して接続される遠隔サーバ１３０とを備えている。
【００１８】
遠隔サーバ１３０は、農業機械１１０，…に対して遠く離れた位置にある遠隔監視センター１２０に配置されており、農業機械１１０の稼動状態に関するデータである予め定めた所定の稼動データを収集して蓄積するようになっている。そして、遠隔サーバ１３０は、ＬＡＮ（Local Area Network）やインターネット等のネットワーク１５０を介してパーソナルコンピュータ、タブレット型コンピュータや携帯端末機等の端末装置１６０，…に接続され、蓄積したデータが端末装置１６０，…に取り込まれることで、農業機械１１０のユーザやディーラ等の利用者によって利用されるようになっている。
【００１９】
詳しくは、遠隔監視端末装置２００および遠隔サーバ１３０は、それぞれ、通信部２１０，１３１（具体的には通信モジュール）を有し、通信網１４０を介して互いの通信部２１０，１３１で接続されることで、遠隔監視端末装置２００と遠隔サーバ１３０との間で情報の送受信を行うことが可能とされている。これにより、遠隔サーバ１３０は、遠隔監視センター１２０で利用者により農業機械１１０，…を遠隔監視できるようになっている。
【００２０】
なお、通信網１４０は、有線通信網でもよいし、無線通信網でもよく、有線通信網および無線通信網を組み合わせたものであってもよい。通信網１４０としては、代表的には、電気通信事業者が提供する公衆回線網であって、固定電話機や携帯電話機等の端末機同士を通信させる公衆回線網を挙げることができる。
【００２１】
図２に示すように、農業機械１１０，…は、１つまたは複数（ここでは複数）の作業部１１１，…と、遠隔監視端末装置２００とを備えている。ここで、作業部１１１，…としては、例えば、農業機械がコンバインである場合には、走行作業部、刈り取り作業部、脱穀作業部等を挙げることができる。
【００２２】
各作業部１１１，…には、電子制御装置（具体的にはコントローラ）１１３，…が設けられている。電子制御装置１１３，…は、各種アクチュエータ（図示せず）に対して指令し、各作業部１１１，…への運転状態を適切に制御する。各電子制御装置１１３，…は、ＣＡＮ（Controller Area Network）規格に基づいて互いにデータ転送されるようになっている。
【００２３】
詳しくは、各電子制御装置１１３，…は、各作業部１１１，…での各種センサにて検出した検出値情報（信号）および各種スイッチのオン・オフ情報に基づいて各作業部１１１，…への運転状態を作動制御する。また、各電子制御装置１１３，…は、農業機械１１０の故障等の異常が発生したか否かの異常発生の有無を適宜判断し、異常が発生した場合には、該異常に応じたエラー情報（具体的にはエラーコード）を生成する。
【００２４】
作業部１１１，…のうちのエンジン１１２を作動させる作業部（走行作業部１１１ａ）は、エンジン１１２と、エンジン１１２の回転数や負荷状態などを監視し、最適な噴射圧力や噴射時期を燃料システムに指示してエンジン全体を制御する電子制御装置１１３（エンジンコントローラ１１３ａ）と、発電機１１４と、起動スイッチＳＷとを備えており、バッテリーＢＴが搭載されている。そして、電子制御装置１１３（エンジンコントローラ１１３ａ）は、作業部１１１（走行作業部１１１ａ）の作動制御の他、運転開始／休止の操作や、エンジン１１２の駆動による運転状態の制御が行われるようになっている。
【００２５】
なお、作業部１１１（走行作業部１１１ａ）のエンジン１１２の稼動状態において、発電機１１４から供給される電力によってバッテリーＢＴの充電が適宜行われるようになっている。
【００２６】
作業部１１１（走行作業部１１１ａ）に備えられている起動スイッチＳＷは、電源オン状態と電源オフ状態とを選択的に切り替える切り替えスイッチとされている。ここで、電源オン状態は、バッテリーＢＴから遠隔監視端末装置２００における制御部２４０（図３参照）および電子制御装置１１３（エンジンコントローラ１１３ａ）へ電力を供給する状態とされる。電源オフ状態は、バッテリーＢＴから遠隔監視端末装置２００における制御部２４０および電子制御装置１１３（エンジンコントローラ１１３ａ）への電力供給を遮断する状態とされる。
【００２７】
詳しくは、バッテリーＢＴは、遠隔監視端末装置２００における制御部２４０に接続された電源接続ラインＬ１および電子制御装置１１３（エンジンコントローラ１１３ａ）に接続された電源接続ラインＬ２の双方に起動スイッチＳＷを介して接続されている。
【００２８】
この例では、起動スイッチＳＷは、所謂キースイッチと呼ばれるスイッチであり、「ＯＮ」端子は、電源接続ラインＬ１，Ｌ２の接続端子である。「ＯＦＦ」端子は、起動スイッチＳＷがオフ状態のときの端子である。
【００２９】
なお、起動スイッチＳＷのオン状態およびオフ状態に関わらず、バッテリーＢＴと遠隔監視端末装置２００における電源制御部２２０（図３参照）とが電源接続ラインＬ３を介して接続されている。
【００３０】
［遠隔監視端末装置について］
図３に示すように、遠隔監視端末装置２００は、通信部２１０と、通信時におけるデータの送受信、各種の入出力制御および演算処理の制御を行う制御部２４０と、制御部２４０に電力を供給する電源制御部２２０とを備えている。
【００３１】
（通信部）
通信部２１０は、遠隔監視センター１２０（図１参照）における遠隔サーバ１３０の通信部１３１と同一の通信プロトコル（通信規約）で通信可能とされている。通信時に送受信されるデータは、通信プロトコルに従うように通信部２１０で変換される。そして、通信部２１０は、制御部２４０にて取得した農業機械１１０の稼動データ等を遠隔サーバ１３０に送信する。
【００３２】
（電源制御部）
電源制御部２２０は、起動スイッチＳＷのオフ状態およびオン状態に関わらず、バッテリーＢＴに接続されている。具体的には、電源制御部２２０の入力側電源ライン（図示せず）とバッテリーＢＴとが電源接続ラインＬ３によって接続されている。これにより、電源制御部２２０は、バッテリーＢＴからの電力が常時供給されるようになっている。
【００３３】
また、制御部２４０の電源ライン（図示せず）と電源制御部２２０の出力側電源ライン（図示せず）とが電源接続ラインＬ４によって接続されている。
【００３４】
（位置検出部）
本実施の形態では、遠隔監視端末装置２００は、ＧＰＳ（Global Positioning System）衛星からの電波を受信するＧＰＳセンサ（位置センサの一例）２３１と、ＧＰＳセンサ２３１にて受信した電波に基づいて農業機械１１０の位置情報等を検出する位置検出部２３２と、位置検出部２３２にて検出した位置情報等の各種データを一時的に格納する各種データ記憶部２３３とをさらに備えている。
【００３５】
ＧＰＳセンサ２３１は、ＧＰＳ衛星からの電波（世界標準日時を含む情報）を受信するようになっている。ここで、世界標準日時は、協定世界時（ＵＴＣ：Universal Time, Coordinated）を意味する。
【００３６】
位置検出部２３２は、農業機械１１０が位置している現在地の情報の他、農業機械１１０の速度情報を検出したり、農業機械１１０の方位情報を検出したりすることができる。すなわち、位置情報は、農業機械１１０の緯度、経度、速度および方位の情報を含んでいる。
【００３７】
具体的には、位置検出部２３２は、ＧＰＳセンサ２３１およびＧＰＳ衛星と共にＧＰＳ衛星システム（測位システム）を構成している。
【００３８】
各種データ記憶部２３３は、フラッシュメモリ（flash memory）等の不揮発性メモリを含んでいる。各種データ記憶部２３３は、電源制御部２２０に接続されており、バッテリーＢＴからの電力が常時供給されるようになっている。
【００３９】
（制御部）
制御部２４０は、ＣＰＵ（Central Processing Unit）等のマイクロコンピュータからなる処理部２５０と、ＲＯＭ（Read Only Memory）等の不揮発性メモリ、ＲＡＭ等の揮発性メモリを含む記憶部２６０と、遠隔監視端末装置２００の日時情報を得るための時計機能を備えた時刻取得タイマー２７０と、各種データ送信制御部２４１とを有している。
【００４０】
制御部２４０は、処理部２５０が記憶部２６０のＲＯＭに予め格納された制御プログラムを記憶部２６０のＲＡＭ上にロードして実行することにより、各種構成要素の作動制御を行うようになっている。
【００４１】
（各種センサ）
各農業機械１１０，…は、燃料タンク１７０に燃料が供給されたか否かを示す燃料供給情報Ｆを検知する燃料供給情報検知部１７１と、エンジン１１２の回転数であるエンジン回転数Ｃを検知するエンジン回転数検知部１７２と、エンジン１１２の負荷率であるエンジン負荷率Ｒを検知するエンジン負荷率検知部１７３と、エンジン１１２から排出される排気ガスの温度であるエンジン排気温度Ｔｅを検知するエンジン排気温度検知部１７４と、農業機械１１０の周辺の外気温度Ｔｏを検知する外気温度検知部１７５とをさらに備えている。ここで、エンジン回転数Ｃは、エンジン１１２の単位時間当たりの回転数（回転速度）を意味し、エンジン負荷率Ｒは、燃料の最大噴射量（定格噴射量）に対する現在の噴射量の割合（すなわち燃料噴射率）を意味する。
【００４２】
燃料供給情報検知部１７１は、燃料タンク１７０における扉（具体的には給油キャップ１７０ａ）が開閉されたか否かを示す開閉情報を検知する開閉センサを有し、制御部２４０の入力系に接続されている。なお、燃料供給情報検知部１７１は、開閉センサに代えて或いは加えて、燃料タンク１７０における燃料の残量を検知する残量センサ（例えば燃料の重量を検知するセンサや燃料の体積を検知するセンサ）を有してもよい。
【００４３】
エンジン回転数検知部１７２は、エンジン１１２の回転角速度を検知する回転角速度センサを有し、制御部２４０の入力系に接続されている。
【００４４】
エンジン負荷率検知部１７３は、エンジン１１２におけるスロットルバルブのスロットル開度を検出するスロットル開度センサを有し、制御部２４０の入力系に接続されている。
【００４５】
エンジン排気温度検知部１７４は、エンジン１１２から排出される排気ガスの通過領域において農業機械１１０の構成要素に設けられた排気温度センサを有し、制御部２４０の入力系に接続されている。
【００４６】
外気温度検知部１７５は、農業機械１１０の外側近傍に設けられた外気温度センサを有し、制御部２４０の入力系に接続されている。
【００４７】
［各種データ検出機能］
農業機械１１０における制御部２４０は、燃料供給情報検出手段Ｐａ１と、エンジン回転数検出手段Ｐａ２と、エンジン負荷率検出手段Ｐａ３と、エンジン排気温度検出手段Ｐａ４と、外気温度検出手段Ｐａ５と、位置情報検出手段Ｐａ６とを備える構成とされている。
【００４８】
燃料供給情報検出手段Ｐａ１は、燃料供給情報検知部１７１における開閉センサにて燃料タンク１７０における扉（具体的には給油キャップ１７０ａ）が開閉されたか否かを検知することにより、燃料タンク１７０に燃料が供給されたか否かを検出する構成とされている。すなわち、燃料供給情報検出手段Ｐａ１は、燃料タンク１７０の扉が開放され、閉じられたことを検知することで、燃料タンク１７０に燃料が供給されたとみなすことができる。なお、燃料供給情報検出手段Ｐａ１は、燃料供給情報検知部１７１が燃料タンク１７０における燃料の残量を検知する残量センサを有している場合、燃料供給情報検知部１７１における残量センサにて燃料タンク１７０における燃料が増加したか否かを検知することにより、燃料タンク１７０に燃料が供給されたか否かを検出する構成とされていてもよい。この場合、燃料供給情報検出手段Ｐａ１は、燃料タンクにおける燃料が増加したことを検知することで、燃料タンク１７０に燃料が供給されたとみなすことができる。
【００４９】
エンジン回転数検出手段Ｐａ２は、エンジン回転数検知部１７２における回転角速度センサにてエンジン１１２の回転角速度を検知することでエンジン回転数Ｃを検出する構成とされている。
【００５０】
エンジン負荷率検出手段Ｐａ３は、エンジン負荷率検知部１７３におけるスロットル開度センサにてエンジン１１２におけるスロットルバルブのスロットル開度を検知することでエンジン負荷率Ｒを検出する構成とされている。
【００５１】
エンジン排気温度検出手段Ｐａ４は、エンジン排気温度検知部１７４における排気温度センサを用いてエンジン排気温度Ｔｅを検出する構成とされている。
【００５２】
外気温度検出手段Ｐａ５は、外気温度検知部１７５における外気温度センサを用いて外気温度Ｔｏを検出する構成とされている。
【００５３】
位置情報検出手段Ｐａ６は、農業機械１１０の位置情報Ｇを検出する構成とされている。位置情報Ｇは、ＧＰＳセンサ２３１にて検知した農業機械１１０の緯度、経度、速度および方位の情報により得ることができる。
【００５４】
また、制御部２４０における各種データ送信制御部２４１は、各種データ送信機能を有している。
【００５５】
［各種データ送信機能］
図４は、遠隔監視端末装置２００の制御部２４０における各種データ送信制御部２４１による各種データ送信機能の動作過程を模式的に示す動作図である。図５は、遠隔監視端末装置２００の各種データ記憶部２３３に格納されたデータ例を模式的に示すデータ構造図である。
【００５６】
図４に示すように、遠隔監視端末装置２００の各種データ送信制御部２４１は、農業機械１１０の稼動中に予め定めた所定の周期（例えば３０秒）毎に取得日時（具体的には世界標準の西暦、年、月、日、時、分、秒）、並びに、農業機械１１０の位置情報Ｇ（緯度、経度など）、燃料供給情報Ｆ、エンジン回転数Ｃ、エンジン負荷率Ｒ、エンジン排気温度Ｔｅおよび外気温度Ｔｏを取得して各種データ記憶部２３３に格納する構成とされている。
【００５７】
また、各種データ送信制御部２４１は、所定の周期毎に格納した取得日時、位置情報Ｇ、燃料供給情報Ｆ、エンジン回転数Ｃ、エンジン負荷率Ｒ、エンジン排気温度Ｔｅおよび外気温度Ｔｏを遠隔サーバ１３０に送信する。
【００５８】
詳しくは、各種データ送信制御部２４１は、起動スイッチＳＷのオンの期間に、所定の周期（例えば３０秒）毎に取得日時、位置情報Ｇ、燃料供給情報Ｆ、エンジン回転数Ｃ、エンジン負荷率Ｒ、エンジン排気温度Ｔｅおよび外気温度Ｔｏを取得するデータ取得部２４１ａと、データ取得部２４１ａにて取得した取得日時、位置情報Ｇ、燃料供給情報Ｆ、エンジン回転数Ｃ、エンジン負荷率Ｒ、エンジン排気温度Ｔｅおよび外気温度Ｔｏを各種データ記憶部２３３に一時的に格納させるデータ格納制御部２４１ｂとを含む動作部として機能する構成とされている。
【００５９】
図５に示すように、遠隔監視端末装置２００の各種データ記憶部２３３には、各種データ送信制御部２４１のデータ取得部２４１ａおよびデータ格納制御部２４１ｂによって取得された所定の周期毎の取得日時、位置情報Ｇ、燃料供給情報Ｆ、エンジン回転数Ｃ、エンジン負荷率Ｒ、エンジン排気温度Ｔｅおよび外気温度Ｔｏが格納される。
【００６０】
そして、図４に示すように、各種データ送信制御部２４１は、各種データ記憶部２３３が格納している取得日時、位置情報Ｇ、燃料供給情報Ｆ、エンジン回転数Ｃ、エンジン負荷率Ｒ、エンジン排気温度Ｔｅおよび外気温度Ｔｏを通信部２１０から遠隔サーバ１３０（図１参照）へ送信するデータ送信部２４１ｃを含む動作部としても機能する構成とされている。
【００６１】
ここで、制御部２４０は、起動スイッチＳＷのオフ操作がなされても、電源制御部２２０により電源がオフされることはなく、データ格納制御部２４１ｂにて各種データを各種データ記憶部２３３に格納して各種データを遠隔サーバ１３０へ送信した後に、電源制御部２２０により電源がオフされるようになっている。また、遠隔監視端末装置２００は、通信部２１０にて各種データを遠隔サーバ１３０の通信部１３１の通信プロトコルに応じたフォーマットに変換した後、通信網１４０および通信部１３１を経て遠隔サーバ１３０に送信する。
【００６２】
（各種データ送信制御部による動作例）
次に、各種データ送信制御部２４１による動作例について図６を参照しながら以下に説明する。
【００６３】
図６は、各種データ送信制御部２４１による制御動作の一例を示すフローチャートである。
【００６４】
図６に示すフローチャートでは、先ず、各種データ送信制御部２４１（図４参照）は、所定の周期（例えば３０秒）が到来したか否かを判断する（ステップＳ１）。所定の周期が到来していない場合には（ステップＳ１：Ｎｏ）、ステップＳ５に移行する一方、所定の周期（例えば３０秒）が到来した場合には（ステップＳ１：Ｙｅｓ）、ＧＰＳセンサ２３１、位置検出部２３２およびデータ取得部２４１ａ（図４参照）により取得日時、位置情報Ｇ、燃料供給情報Ｆ、エンジン回転数Ｃ、エンジン負荷率Ｒ、エンジン排気温度Ｔｅおよび外気温度Ｔｏの各種データを検出し（ステップＳ２）、検出した各種データをデータ格納制御部２４１ｂ（図４参照）により各種データ記憶部２３３（図４参照）に格納する（ステップＳ３）。
【００６５】
次に、各種データ送信制御部２４１は、各種データ記憶部２３３に格納した取得日時、位置情報Ｇ、燃料供給情報Ｆ、エンジン回転数Ｃ、エンジン負荷率Ｒ、エンジン排気温度Ｔｅおよび外気温度Ｔｏの各種データを、作業機１１０を識別する情報である識別情報（ここでは端末電話番号）と共に遠隔サーバ１３０に送信する（ステップＳ４）。
【００６６】
次に、各種データ送信制御部２４１は、起動スイッチＳＷのオフ操作を受け付けるまで（ステップＳ５：Ｎｏ）、ステップＳ１〜Ｓ５の処理を行う。一方、各種データ送信制御部２４１は、起動スイッチＳＷのオフ操作を受け付けると（ステップＳ５：Ｙｅｓ）、ＧＰＳセンサ２３１、位置検出部２３２およびデータ取得部２４１ａにより取得日時、位置情報Ｇ、燃料供給情報Ｆ、エンジン回転数Ｃ、エンジン負荷率Ｒ、エンジン排気温度Ｔｅおよび外気温度Ｔｏの各種データを検出し（ステップＳ６）、検出した各種データをデータ格納制御部２４１ｂにより各種データ記憶部２３３に格納する（ステップＳ７）。
【００６７】
そして、各種データ送信制御部２４１は、各種データ記憶部２３３に格納した取得日時、位置情報Ｇ、燃料供給情報Ｆ、エンジン回転数Ｃ、エンジン負荷率Ｒ、エンジン排気温度Ｔｅおよび外気温度Ｔｏの各種データを識別情報（ここでは端末電話番号）と共に遠隔サーバ１３０に送信し（ステップＳ８）、電源制御部２２０により電源をオフし（ステップＳ９）、処理を終了する。なお、図６に示すフローチャートにおいて、ステップＳ４の処理を省略し、ステップＳ８の処理で全ての各種データを送信するようにしてもよい。
【００６８】
［遠隔サーバについて］
（第１実施形態）
図７は、第１実施形態の遠隔サーバ１３０における制御部１３２の概略構成を示すブロック図である。
【００６９】
図７に示すように、遠隔監視センター１２０に設けられた遠隔サーバ１３０は、通信部１３１と、通信時におけるデータの送受信、各種の入出力制御および演算処理の制御を行う制御部１３２とを備えている。
【００７０】
（通信部）
通信部１３１は、遠隔監視端末装置２００の通信部２１０（図１から図４参照）と同一の通信プロトコル（通信規約）で通信可能とされている。通信時に送受信されるデータは、通信プロトコルに従うように通信部１３１で変換される。通信部１３１は、前述した稼動データ等の各種データを受信する。
【００７１】
（制御部）
制御部１３２は、ＣＰＵ（Central Processing Unit）等のマイクロコンピュータから
なる処理部１３３と、ＲＯＭ（Read Only Memory）等の不揮発性メモリ、ＲＡＭ等の揮発性メモリおよびハードディスク装置やフラッシュメモリ等の書き換え可能な不揮発性メモリとを含む記憶部１３４とを有している。
【００７２】
制御部１３２は、処理部１３３が記憶部１３４のＲＯＭに予め格納された制御プログラムを記憶部１３４のＲＡＭ上にロードして実行することにより、各種構成要素の作動制御を行うようになっている。
【００７３】
そして、第１実施形態の遠隔サーバ１３０における制御部１３２は、各農業機械１１０，…から、稼動データとして燃料タンク１７０に燃料が供給されたか否かを示す燃料供給情報Ｆおよびエンジン排気温度Ｔｅを含む各種データを受信し、燃料供給情報Ｆに基づいて燃料供給時期を判定し、判定した燃料供給時期を挟む期間でのエンジン排気温度Ｔｅの変化状態に基づいて正規の燃料とは異なる不正規燃料の混入を検出する構成とされている。
【００７４】
詳しくは、第１実施形態の遠隔サーバ１３０における制御部１３２は、複数の農業機械１１０，…からそれぞれ受信したエンジン排気温度Ｔｅのうち、燃料供給時期以降において基準エンジン排気温度Ｔｓから外れるエンジン排気温度Ｔｅの農業機械１１０（具体的には燃料タンク１７０）に対して不正規燃料が混入したことを検出する構成とされている。すなわち、第１実施形態の制御部１３２は、受信制御手段Ｐ１と、燃料供給時期判定手段Ｐ２と、不正規燃料混入検出手段Ｐ３とを備える構成とされている。
【００７５】
受信制御手段Ｐ１は、各農業機械１１０，…における各種データ送信制御部２４１から送信された取得日時、位置情報Ｇ、燃料供給情報Ｆ、エンジン回転数Ｃ、エンジン負荷率Ｒ、エンジン排気温度Ｔｅおよび外気温度Ｔｏを各農業機械１１０，…から識別情報（ここでは端末電話番号）毎に受信する構成とされている。
【００７６】
ここで、記憶部１３４には、識別情報（ここでは端末電話番号）に機種情報（具体的には機種コードおよび／または機種名）および機番情報を関連付けて保存したデータベースＤＢ（図７参照）が予め記憶されており、制御部１３２は、識別情報から記憶部１３４におけるデータベースＤＢを参照することで機種情報（具体的には機種コードおよび／または機種名）および機番情報を認識することができる。
【００７７】
燃料供給時期判定手段Ｐ２は、受信制御手段Ｐ１にて受信した機種情報および機番情報毎の燃料供給情報に基づいて燃料供給時期を機種情報および機番情報毎に判定する構成とされている。この例では、燃料タンク１７０における扉（具体的には給油キャップ１７０ａ）が開閉されたか否かを示す開閉情報を検出することで燃料供給時期を判定する。
【００７８】
不正規燃料混入検出手段Ｐ３は、燃料供給時期判定手段Ｐ２にて判定した機種情報および機番情報毎の燃料供給時期以降でのエンジン排気温度Ｔｅの基準エンジン排気温度Ｔｓとの差分値により不正規燃料の混入を機種情報および機番情報毎に検出する構成とされている。
【００７９】
詳しくは、記憶部１３４には、エンジン回転数Ｃおよびエンジン負荷率Ｒから、エンジン回転数Ｃに対するエンジン負荷率Ｒに応じた正規の燃料でのエンジン排気温度である基準エンジン排気温度Ｔｓに変換する第１変換テーブルＴＢ１（後述する図８参照）が機種情報毎に予め設定（記憶）されている。
【００８０】
なお、図７における構成要素のうち、説明していない構成要素については、後ほど説明する。
【００８１】
図８は、エンジン回転数Ｃに対するエンジン負荷率Ｒに応じた正規の燃料での基準エンジン排気温度Ｔｓの第１変換テーブルＴＢ１の一例を示す図表である。
【００８２】
図８に示すように、第１変換テーブルＴＢ１において、例えば、エンジン回転数を、０ｒｐｍ（revolution per minute）を超えて２００ｒｐｍ以下、２００ｒｐｍを超えて４００ｒｐｍ以下、４００ｒｐｍを超えて６００ｒｐｍ以下、６００ｒｐｍを超えて８００ｒｐｍ以下、８００ｒｐｍを超えて１０００ｒｐｍ以下、１０００ｒｐｍを超えて１２００ｒｐｍ以下、１２００ｒｐｍを超えて１４００ｒｐｍ以下、１４００ｒｐｍを超えて１６００ｒｐｍ以下、１６００ｒｐｍを超えて１８００ｒｐｍ以下、１８００ｒｐｍを超えて２０００ｒｐｍ以下の１０区分に区分けし、エンジン負荷率を、０％を超えて１０％以下、１０％を超えて２０％以下、２０％を超えて３０％以下、３０％を超えて４０％以下、４０％を超えて５０％以下、５０％を超えて６０％以下、６０％を超えて７０％以下、７０％を超えて８０％以下、８０％を超えて９０％以下、９０％を超えて１００％以下の１０区分に区分けし、エンジン回転数の各区分けに対するエンジン負荷率の各区分けに応じた基準エンジン排気温度Ｔｓの温度範囲が予め設定されている。かかる基準エンジン排気温度Ｔｓの温度範囲は、実験等で予め求めておくことができる。
【００８３】
そして、不正規燃料混入検出手段Ｐ３（図７参照）は、燃料供給時期判定手段Ｐ２にて燃料が供給されたことを判定した時点からエンジン排気温度Ｔｅが第１変換テーブルＴＢ１における基準エンジン排気温度Ｔｓの温度範囲内にある場合には、燃料タンク１７０に正規の燃料が供給されたことを検出し、該温度範囲内にない場合には、燃料タンク１７０に不正規燃料が混入したことを検出する構成とされている。
【００８４】
また、記憶部１３４（図７参照）には、農業機械１１０において燃料が一度も供給されていない初期状態（新品の状態）を示す初期状態フラグＦＬが機種情報および機番情報毎に設けられており、農業機械１１０の初期状態では機種情報および機番情報毎の初期状態フラグＦＬがオフ状態（具体的には「０」）となっている。
【００８５】
ところで、各農業機械１１０，…における燃料タンク１７０には、初期の状態（納品の際には）では、通常は、正規の燃料が収容される。
【００８６】
そこで、本実施の形態では、記憶部１３４には、第１変換テーブルＴＢ１に代えて或いは加えて、エンジン回転数Ｃおよびエンジン負荷率Ｒから、エンジン回転数Ｃに対するエンジン負荷率Ｒに応じた正規の燃料での基準エンジン排気温度Ｔｓに変換する第２変換テーブルＴＢ２（後述する図９参照）が機種情報毎に設定（記憶）される。
【００８７】
制御部１３２は、第２変換テーブルＴＢ２を機種情報毎に生成する変換テーブル生成手段Ｐ４（図７参照）を備える構成とされている。
【００８８】
詳しくは、変換テーブル生成手段Ｐ４は、各農業機械１１０，…の初期状態（具体的には記憶部１３４における初期状態フラグＦＬのオフ状態）から燃料供給時期判定手段Ｐ２にて最初の燃料供給があったことを判定するまで（具体的には記憶部１３４における初期状態フラグＦＬのオン状態を判定するまで）の間に各農業機械１１０，…から受信制御手段Ｐ１にて受信した機種情報および機番情報毎の実際のエンジン回転数Ｃに対するエンジン負荷率Ｒに応じたエンジン排気温度Ｔｅの最小値から最大値の温度範囲を基準エンジン排気温度Ｔｓとして機種情報毎に記憶部１３４の第２変換テーブルＴＢ２に設定（記憶）する。なお、第２変換テーブルＴＢ２に設定される基準エンジン排気温度Ｔｓの温度範囲は、所定時間経過後（エンジン排気温度Ｔｅがある程度安定した後）に設定することができる。また、変換テーブル生成手段Ｐ４は、最初の燃料供給があったことを判定したときに、初期状態を機種情報および機番情報毎に解除（具体的には記憶部１３４における初期状態フラグＦＬをオン状態「１」に）する。
【００８９】
図９は、エンジン回転数Ｃに対するエンジン負荷率Ｒに応じた正規の燃料での基準エンジン排気温度Ｔｓの第２変換テーブルＴＢ２の一例を示す図表である。なお、図９における基準エンジン排気温度Ｔｓの空白の部分は、初期状態から最初の燃料供給があったことを判定するまでにエンジン回転数Ｃに対するエンジン負荷率Ｒに対応するエンジン排気温度Ｔｅが得られなかったために、エンジン排気温度のデータが存在していないことを示している。
【００９０】
そして、不正規燃料混入検出手段Ｐ３（図７参照）は、燃料供給時期判定手段Ｐ２にて燃料が供給されたことを判定した時点からエンジン排気温度Ｔｅが第２変換テーブルＴＢ２における基準エンジン排気温度Ｔｓの温度範囲内にある場合には、燃料タンク１７０に正規の燃料が供給されたことを検出し、該温度範囲内にない場合には、燃料タンク１７０に不正規燃料が混入したことを検出する構成とされている。
【００９１】
ところで、エンジン排気温度Ｔｅは、通常、外気温度Ｔｏに応じて変化する。すなわち、外気温度Ｔｏが高くなる程、エンジン排気温度Ｔｅが高くなり、また、外気温度Ｔｏが低くなる程エンジン排気温度Ｔｅが低くなる。
【００９２】
この点に関し、本実施の形態では、記憶部１３４には、外気温度Ｔｏの設定温度範囲毎に第１変換テーブルＴＢ１が予め設定（記憶）されており、外気温度Ｔｏの設定温度範囲毎に第２変換テーブルＴＢ２が設定（記憶）される。
【００９３】
この例では、第１変換テーブルＴＢ１および第２変換テーブルＴＢ２は、図示を省略したが、外気温度が０℃以下の場合での変換テーブルと、０℃を超えて１５℃以下の場合での変換テーブルと、１５℃を超えて３０℃以下の場合での変換テーブルと、３０℃を超えて４５℃以下の場合での変換テーブルと、４５℃を超えた場合での変換テーブルとで構成されている。なお、図８および図９に示す例では、外気温度が１５℃を超えて３０℃以下の場合での第１変換テーブルＴＢ１および第２変換テーブルＴＢ２を例示している。
【００９４】
本実施の形態では、制御部１３２は、不正規燃料を検出した識別情報（具体的には機種情報および機番情報）に基づいて農業機械１１０の管理元を特定し、特定した管理元に、当該識別情報に対応する農業機械１１０に不正規燃料が混入された可能性があることを通知する混入通知手段Ｐ５（図７参照）をさらに備える構成とされている。
【００９５】
詳しくは、混入通知手段Ｐ５は、不正規燃料を検出した識別情報（具体的には機種情報および機番情報）に対応する農業機械１１０の管理元（例えば当該農業機械１１０を管理するレンタル会社やサービスセンターの電子メールアドレス）を特定し、特定した管理元に、不正規燃料を検出した識別情報に対応する農業機械１１０に不正規燃料が混入された可能性があることを通知（例えば当該農業機械１１０を管理するレンタル会社やサービスセンターの電子メールアドレスに電子メールを送信）する。
【００９６】
また、本実施の形態では、制御部１３２は、不正規燃料を検出した識別情報（具体的には機種情報および機番情報）と関連付けて不正規燃料の混入の可能性を履歴として保存する履歴保存手段Ｐ６（図７参照）をさらに備える構成とされている。
【００９７】
詳しくは、履歴保存手段Ｐ６は、不正規燃料を検出した識別情報および該識別情報に対応する管理元に関連付けて不正規燃料を検出したことを示す情報（この例では不正規燃料を検出したときの年月日である不正規燃料検出年月日）を記憶部１３４に保存する。
【００９８】
図１０は、不正規燃料を検出したときに記憶部１３４に保存される識別情報、管理元情報、不正規燃料検出年月日を含むデータ構造を模式的に示す模式図である。
【００９９】
図１０に示すように、記憶部１３４には、不正規燃料を検出したときに、識別情報（具体的には機種情報および機番情報）に対応する管理元情報に対して、不正規燃料検出年月日に加えて、エンジン回転数Ｃ、エンジン負荷率Ｒ、エンジン排気温度Ｔｅおよび外気温度Ｔｏが順次保存されていく。
【０１００】
（第１実施形態の遠隔サーバにおける制御部による動作例）
次に、第１実施形態の遠隔サーバ１３０における制御部１３２による動作例について図１１を参照しながら以下に説明する。
【０１０１】
図１１は、第１実施形態の遠隔サーバ１３０における制御部１３２による制御動作の一例を示すフローチャートである。
【０１０２】
図１１に示すフローチャートでは、制御部１３２は、先ず、受信制御手段Ｐ１により、取得日時、位置情報Ｇ、燃料供給情報Ｆ、エンジン回転数Ｃ、エンジン負荷率Ｒ、エンジン排気温度Ｔｅおよび外気温度Ｔｏを各農業機械１１０，…から識別情報毎に受信する（ステップＳ１０）。
【０１０３】
次に、制御部１３２は、燃料供給時期判定手段Ｐ２により、ステップＳ１０で受信した識別情報に対応する機種情報および機番情報毎の燃料供給情報から最初の燃料供給があったことを判定したか否かを判断し（ステップＳ１１）、最初の燃料供給があったことを判定した場合には（ステップＳ１１：Ｙｅｓ）、対応する機種情報および機番情報の初期状態フラグＦＬをオン状態「１」にし（ステップＳ１２）、ステップＳ１３に移行する一方、それ以外の場合には（ステップＳ１１：Ｎｏ）、そのままステップＳ１３に移行する。
【０１０４】
次に、制御部１３２は、対応する機種情報および外気温度Ｔｏの温度範囲の第２変換テーブルＴＢ２を生成済みか（例えば図９に示す第２変換テーブルＴＢ２の基準エンジン排気温度Ｔｓの温度範囲のデータが全て揃っているか）否かを判断し（ステップＳ１３）、該第２変換テーブルＴＢ２を生成済みの場合には（ステップＳ１３：Ｙｅｓ）、ステップＳ１６に移行する一方、該第２変換テーブルＴＢ２を生成済みでない場合には（ステップＳ１３：Ｎｏ）、ステップＳ１４に移行する。
【０１０５】
次に、制御部１３２は、初期状態フラグＦＬのオン／オフ状態を判断し（ステップＳ１４）、初期状態フラグＦＬがオン状態「１」の場合（農業機械１１０が初期状態でない場合）には（ステップＳ１４：オン状態）、ステップＳ１６に移行する一方、オフ状態「０」の場合（農業機械１１０が初期状態の場合）には（ステップＳ１４：オフ状態）、ステップＳ１５に移行する。
【０１０６】
次に、制御部１３２は、変換テーブル生成手段Ｐ４により、ステップＳ１０で各農業機械１１０，…から送られてきたエンジン回転数Ｃ、エンジン負荷率Ｒ、エンジン排気温度Ｔｅおよび外気温度Ｔｏを用いて、対応する機種情報および外気温度Ｔｏの温度範囲（例えば〜０℃、０℃〜１５℃、１５℃〜３０℃、３０℃〜４５℃、４５℃〜の温度範囲）の第２変換テーブルＴＢ２を生成する（ステップＳ１５）。例えば、エンジン回転数Ｃが１５００ｒｐｍ、エンジン負荷率Ｒが５５％、エンジン排気温度Ｔｅが４５８℃、外気温度Ｔｏが２５℃の場合、図９に示すように、１５℃〜３０℃の第２変換テーブルＴＢ２においてエンジン回転数１４００ｒｐｍ〜１６００ｒｐｍに対するエンジン負荷率５０％〜６０％に対応するエンジン排気温度の最大値として、４５８℃が設定される。
【０１０７】
次に、制御部１３２は、不正規燃料混入検出手段Ｐ３により、外気温度Ｔｏから第１変換テーブルＴＢ１および第２変換テーブルＴＢ２を選定する（ステップＳ１６）。例えば、外気温度Ｔｏが２５℃の場合、１５℃〜３０℃の第１変換テーブルＴＢ１および第２変換テーブルＴＢ２を選定する。
【０１０８】
次に、制御部１３２は、不正規燃料混入検出手段Ｐ３により、ステップＳ１６で選定した第２変換テーブルＴＢ２（図９参照）においてステップＳ１０で受信したエンジン回転数Ｃに対するエンジン負荷率Ｒに対応する基準エンジン排気温度Ｔｓの温度範囲のデータが存在するか否かを判断し（ステップＳ１７）、該データが存在しない場合には（ステップＳ１７：Ｎｏ）、ステップＳ１８に移行する一方、該データが存在する場合には（ステップＳ１７：Ｙｅｓ）、ステップＳ１９に移行する
次に、制御部１３２は、不正規燃料混入検出手段Ｐ３により、ステップＳ１０で受信したエンジン排気温度ＴｅがステップＳ１６で選定した第２変換テーブルＴＢ２において燃料供給時期判定手段Ｐ２にて判定した燃料供給時期以降でエンジン回転数Ｃに対するエンジン負荷率Ｒに対応する基準エンジン排気温度Ｔｓの温度範囲内にあるか否かを判断し（ステップＳ１９）、エンジン排気温度Ｔｅが基準エンジン排気温度Ｔｓの温度範囲内にない場合には（ステップＳ１９：Ｎｏ）、不正規燃料の混入があったとみなしてステップＳ２０に移行する一方、エンジン排気温度Ｔｅが基準エンジン排気温度Ｔｓの温度範囲内にある場合には（ステップＳ１９：Ｙｅｓ）、不正規燃料の混入がかなったとみなしてそのままステップＳ２２に移行する。例えば、エンジン回転数Ｃが１５００ｒｐｍ、エンジン負荷率Ｒが５５％、外気温度Ｔｏが２５℃の場合、図９に示すように、１５℃〜３０℃の第２変換テーブルＴＢ２においてエンジン回転数１４００ｒｐｍ〜１６００ｒｐｍに対するエンジン負荷率５０％〜６０％に対応する基準エンジン排気温度Ｔｓの温度範囲４５５℃〜４５８℃において、エンジン排気温度Ｔｅが４６０℃のときには（ステップＳ１９：Ｎｏ）、不正規燃料の混入があったとみなしてステップＳ２０に移行する一方、エンジン排気温度Ｔｅが４５６℃のときには（ステップＳ１９：Ｙｅｓ）、不正規燃料の混入がかなったとみなしてそのままステップＳ２２に移行する。
【０１０９】
次に、制御部１３２は、混入通知手段Ｐ５により、不正規燃料を検出した識別情報（具体的には機種情報および機番情報）に対応する農業機械１１０の管理元（例えば当該農業機械１１０を管理するレンタル会社やサービスセンターの電子メールアドレス）を特定して該管理元に、当該識別情報に対応する農業機械１１０（具体的には燃料タンク１７０）に不正規燃料が混入された可能性があることを通知（例えば当該農業機械１１０を管理するレンタル会社やサービスセンターの電子メールアドレスに電子メールを送信）する（ステップＳ２０）。
【０１１０】
次に、制御部１３２は、履歴保存手段Ｐ６により、不正規燃料を検出した識別情報および該識別情報に対応する管理元に関連付けて不正規燃料を検出したことを示す情報（この例では不正規燃料検出年月日）を記憶部１３４に保存する（ステップＳ２１）。
【０１１１】
一方、ステップＳ１８では、制御部１３２は、ステップＳ１９での第２変換テーブルＴＢ２の場合と同様に、不正規燃料混入検出手段Ｐ３により、ステップＳ１０で受信したエンジン排気温度ＴｅがステップＳ１６で選定した第１変換テーブルＴＢ１において燃料供給時期判定手段Ｐ２にて判定した燃料供給時期以降でエンジン回転数Ｃに対するエンジン負荷率Ｒに対応する基準エンジン排気温度Ｔｓの温度範囲内にあるか否かを判断し（ステップＳ１８）、エンジン排気温度Ｔｅが基準エンジン排気温度Ｔｓの温度範囲内にない場合には（ステップＳ１８：Ｎｏ）、不正規燃料の混入があったとみなしてステップＳ２０に移行する一方、エンジン排気温度Ｔｅが基準エンジン排気温度Ｔｓの温度範囲内にある場合には（ステップＳ１８：Ｙｅｓ）、不正規燃料の混入がかなったとみなしてそのままステップＳ２２に移行する。
【０１１２】
次に、制御部１３２は、処理終了の指示があるまで（ステップＳ２２：Ｎｏ）、ステップＳ１０〜Ｓ２２の処理を繰り返し、運転終了の指示があると（ステップＳ２２：Ｙｅｓ）、処理動作を終了する。
【０１１３】
（第２実施形態）
第１実施形態の遠隔サーバ１３０では、基準エンジン排気温度Ｔｓを設定することで、不正規燃料の混入を検出する構成としたが、第２実施形態の遠隔サーバ１３０では、基準エンジン排気温度Ｔｓを設定することなく、不正規燃料の混入を検出する構成とされている。
【０１１４】
図１２は、第２実施形態の遠隔サーバ１３０における制御部１３２の概略構成を示すブロック図である。
【０１１５】
第２実施形態の遠隔サーバ１３０における制御部１３２は、複数の農業機械１１０，…からそれぞれ受信したエンジン排気温度Ｔｅについて、同等条件（例えば同一機種での同等のエンジン負荷率Ｒ、エンジン回転数Ｃおよび外気温度Ｔｏ、具体的には同一機種での同一地域における同等のエンジン負荷率Ｒ、エンジン回転数Ｃおよび外気温度Ｔｏ）のエンジン排気温度Ｔｅを設定し、燃料供給時期以降において、設定したエンジン排気温度Ｔｅの傾向から外れるエンジン排気温度Ｔｅの農業機械１１０に不正規燃料が混入したことを検出する構成とされている。すなわち、第２実施形態の制御部１３２は、第１実施形態の制御部１３２（図７参照）において、記憶部１３４の第１変換テーブルＴＢ１および第２変換テーブルＴＢ２に代えて設定テーブルＴＢ３が設けられると共に、処理部１３３の不正規燃料混入検出手段Ｐ３および変換テーブル生成手段Ｐ４に代えて不正規燃料混入検出手段Ｐ３ａおよびエンジン排気温度設定手段Ｐ４ａを備える構成とされている。
【０１１６】
なお、第２実施形態の制御部１３２において、第１実施形態の制御部１３２と同一構成の構成要素には同一符号を付し、その説明を省略する。
【０１１７】
エンジン排気温度設定手段Ｐ４ａは、受信制御手段Ｐ１にて受信したエンジン排気温度Ｔｅに関して、同等条件（例えば同一機種での外気温度Ｔｏの温度範囲毎のエンジン回転数Ｃに対するエンジン負荷率Ｒ、具体的には同一機種での同一地域における外気温度Ｔｏの温度範囲毎のエンジン回転数Ｃに対するエンジン負荷率Ｒ）に対応するエンジン排気温度Ｔｅを設定する構成とされている。なお、各農業機械１１０，…が同一地域（例えば同じ作業現場或いは同じ圃場）か否かは、受信制御手段Ｐ１にて受信した位置情報Ｇを用いて判定することができる。
【０１１８】
図１３は、外気温度Ｔｏの温度範囲毎のエンジン回転数Ｃに対するエンジン負荷率Ｒに応じたエンジン排気温度Ｔｅを記憶部１３４に記憶する設定テーブルＴＢ３の一例を示す図表である。なお、図１３に示す設定テーブルＴＢ３では、エンジン排気温度Ｔｅが一部記憶されている状態を示している。また、外気温度の温度範囲は、第１変換テーブルＴＢ１および第２変換テーブルＴＢ２と同様、例えば、〜０℃、０℃〜１５℃、１５℃〜３０℃、３０℃〜４５℃、４５℃〜の温度範囲とすることができる。
【０１１９】
エンジン排気温度設定手段Ｐ４ａは、同等条件（例えば同一機種での外気温度Ｔｏの温度範囲毎のエンジン回転数Ｃに対するエンジン負荷率Ｒ、具体的には同一機種での同一地域における外気温度Ｔｏの温度範囲毎のエンジン回転数Ｃに対するエンジン負荷率Ｒ）に応じたエンジン排気温度Ｔｅを記憶部１３４の設定テーブルＴＢ３に順次記憶していく。
【０１２０】
そして、不正規燃料混入検出手段Ｐ３ａは、受信制御手段Ｐ１にて受信したエンジン排気温度Ｔｅがエンジン排気温度設定手段Ｐ４ａにて設定した設定テーブルＴＢ３のエンジン排気温度Ｔａの傾向（例えば設定テーブルＴＢ３にエンジン回転数１２００ｒｐｍ〜１４００ｒｐｍに対するエンジン負荷率４０％〜５０％に対応するエンジン排気温度として３８５℃、３８６℃、３８７℃、３８８℃といった温度が多数設定されている傾向）において、受信制御手段Ｐ１にて受信したエンジン排気温度Ｔｅが設定テーブルＴＢ３に設定されているエンジン排気温度Ｔａの温度範囲（例えば３８５℃〜３８８℃）内の温度（例えば３８６℃といった温度）または該温度範囲に対して所定温度（例えば５℃）未満の温度しか外れていない温度（例えば３８８℃に対して１℃しか外れていない３８９℃といった温度）の場合には、燃料タンク１７０に正規の燃料が供給されたことを検出し、設定テーブルＴＢ３に設定されているエンジン排気温度Ｔａの温度範囲（例えば３８５℃〜３８８℃）よりも所定温度（例えば５℃）以上外れる温度（例えば３８８℃に対して５℃以上外れた３９５℃といった温度）である場合には、燃料タンク１７０に不正規燃料が混入したことを検出する構成とされている。なお、設定テーブルＴＢ３に設定されるエンジン排気温度Ｔａの温度範囲は、所定時間経過後（受信制御手段Ｐ１にて受信したエンジン排気温度Ｔｅがある程度安定した後）に設定することができる。
【０１２１】
（第２実施形態の遠隔サーバにおける制御部による動作例）
次に、遠隔サーバ１３０における制御部１３２による第２実施形態の動作例について図１３を参照しながら以下に説明する。
【０１２２】
図１４は、第２実施形態の遠隔サーバ１３０における制御部１３２による制御動作の一例を示すフローチャートである。
【０１２３】
図１４に示す第２実施形態のフローチャートでは、図１１に示す第１実施形態のフローチャートにおいて、ステップＳ１１〜Ｓ１９に代えてステップＳ２３〜Ｓ２５を設けたものである。
【０１２４】
なお、図１４に示す第２実施形態のフローチャートにおいて、図１１に示す第１実施形態のフローチャートと同一処理には同一符号を付し、その説明を省略する。
【０１２５】
図１４に示すフローチャートでは、制御部１３２は、対応する機種情報および外気温度Ｔｏの温度範囲の設定テーブルＴＢ３においてステップＳ１０で受信したエンジン回転数Ｃに対するエンジン負荷率Ｒに対応するエンジン排気温度Ｔａのデータが存在するか否かを判断し（ステップＳ２３）、該データが存在しない場合には（ステップＳ２３：Ｎｏ）、ステップＳ２５に移行する一方、該データが存在する場合には（ステップＳ２３：Ｙｅｓ）、ステップＳ２４に移行する。
【０１２６】
次に、制御部１３２は、不正規燃料混入検出手段Ｐ３ａにより、ステップＳ１０で受信したエンジン排気温度Ｔｅが燃料供給時期判定手段Ｐ２にて判定した燃料供給時期以降で対応する機種情報および外気温度Ｔｏの温度範囲の設定テーブルＴＢ３に設定されているエンジン排気温度Ｔａの温度範囲よりも所定温度以上外れているか否かを判断し（ステップＳ２４）、エンジン排気温度Ｔｅが所定温度以上外れている場合には（ステップＳ２４：Ｙｅｓ）、ステップＳ２０に移行する一方、それ以外の場合には（ステップＳ２４：Ｎｏ）、ステップＳ２５に移行する。
【０１２７】
そして、ステップＳ２５では、制御部１３２は、エンジン排気温度設定手段Ｐ４ａにより、ステップＳ１０で受信したエンジン回転数Ｃに対するエンジン負荷率Ｒに対応するエンジン排気温度Ｔｅを、対応する機種情報および外気温度Ｔｏの温度範囲の設定テーブルＴＢ３に設定し、ステップＳ２２に移行する。
【０１２８】
（本実施の形態について）
以上説明したように、本第１実施形態および本第２実施形態によれば、複数の農業機械１１０，…から、稼動データとして燃料タンク１７０に燃料が供給されたか否かを示す燃料供給情報およびエンジン排気温度Ｔｅを受信し、燃料供給情報に基づいて燃料供給時期を判定し、判定した燃料供給時期を挟む期間でのエンジン排気温度Ｔｅの変化状態に基づいて正規の燃料とは異なる不正規燃料の混入を検出するので、農業機械１１０において従来構成の如くタンク重量測定器や燃料性状センサといった不正規燃料の混入を検出する検出構成を設けることなく、不正規燃料の混入を検出することが可能となる。
【０１２９】
また、本第１実施形態および本第２実施形態では、不正規燃料を検出した識別情報に基づいて農業機械１１０の管理元を特定し、特定した管理元に、農業機械１１０に不正規燃料が混入された可能性があることを通知することで、管理元において不正規燃料の混入検査を行うための対象となる対象農業機械の絞り込みを行うことが可能となる。このことは、例えば、管理元がレンタル店のような管理元である場合に、レンタル期間終了後における不正規燃料の混入検査を行うための対象農業機械の絞り込みに利用することができ、特に有効となる。
【０１３０】
また、本第１実施形態および本第２実施形態では、不正規燃料を検出した識別情報と関連付けて不正規燃料の混入の可能性を履歴として保存することで、不正規燃料により影響を受け得るエンジン１１２等の部材に対するメンテナンス時の重点確認が可能となる共に、農業機械１１０を譲渡する際の参考データとして、例えば、農業機械１１０を中古品として買い取りする場合、買い取り価格の査定材料としても利用することができる。
【０１３１】
また、第２実施形態では、複数の農業機械１１０，…からそれぞれ受信したエンジン排気温度Ｔｅにおいて、同等条件（例えば同一機種での同等のエンジン負荷率Ｒ、エンジン回転数Ｃおよび外気温度Ｔｏ、具体的には同一機種での同一地域における同等のエンジン負荷率Ｒ、エンジン回転数Ｃおよび外気温度Ｔｏ）のエンジン排気温度Ｔｅを設定し、設定したエンジン排気温度Ｔｅの傾向から外れるエンジン排気温度Ｔｅの農業機械１１０に不正規燃料が混入したことを検出することで、第１実施形態の如く、実験等により予め設定しておく必要がある第１変換テーブルＴＢ１や、実際のエンジン回転数Ｃ、エンジン負荷率Ｒおよびエンジン排気温度Ｔｅを利用して、基準エンジン排気温度Ｔｓを設定する必要がある第２変換テーブルＴＢ２を用いることなく、不正規燃料の混入を検出することが可能となる。
【０１３２】
（他の実施の形態について）
本実施の形態に係る遠隔監視システム１００は、コンバイン、耕耘機や田植機等の走行作業機械に適用したが、それに限定されるものではなく、トラクター、ショベルカー、ホイルローダやキャリヤ等の建設作業機械といった走行作業機や、プレジャーボート、漁船といった船舶にも好適に適用することができる。
【０１３３】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１３４】
１００    遠隔監視システム
１１０    農業機械
１１１    作業部
１１１ａ  走行作業部
１１２    エンジン
１１３    電子制御装置
１１３ａ  エンジンコントローラ
１１４    発電機
１２０    遠隔監視センター
１３０    遠隔サーバ
１３１    通信部
１３２    制御部
１３３    処理部
１３４    記憶部
１４０    通信網
１５０    ネットワーク
１６０    端末装置
１７０    燃料タンク
１７０ａ  給油キャップ
１７１    燃料供給情報検知部
１７２    エンジン回転数検知部
１７３    エンジン負荷率検知部
１７４    エンジン排気温度検知部
１７５    外気温度検知部
２００    遠隔監視端末装置
２１０    通信部
２２０    電源制御部
２３１    ＧＰＳセンサ
２３２    位置検出部
２３３    各種データ記憶部
２４０    制御部
２４１    各種データ送信制御部
２４１ａ  データ取得部
２４１ｂ  データ格納制御部
２４１ｃ  データ送信部
２５０    処理部
２６０    記憶部
ＢＴ      バッテリー
Ｃ        エンジン回転数
ＤＢ      データベース
Ｆ        燃料供給情報
ＦＬ      初期状態フラグ
Ｇ        位置情報
Ｌ１      電源接続ライン
Ｌ２      電源接続ライン
Ｌ３      電源接続ライン
Ｌ４      電源接続ライン
Ｐ１      受信制御手段
Ｐ２      燃料供給時期判定手段
Ｐ３      不正規燃料混入検出手段
Ｐ３ａ    不正規燃料混入検出手段
Ｐ４      変換テーブル生成手段
Ｐ４ａ    エンジン排気温度設定手段
Ｐ５      混入通知手段
Ｐ６      履歴保存手段
Ｐａ１    燃料供給情報検出手段
Ｐａ２    エンジン回転数検出手段
Ｐａ３    エンジン負荷率検出手段
Ｐａ４    エンジン排気温度検出手段
Ｐａ５    外気温度検出手段
Ｐａ６    位置情報検出手段
Ｒ        エンジン負荷率
ＳＷ      起動スイッチ
ＴＢ１    第１変換テーブル
ＴＢ２    第２変換テーブル
ＴＢ３    設定テーブル
Ｔａ      エンジン排気温度
Ｔｅ      エンジン排気温度
Ｔｏ      外気温度
Ｔｓ      基準エンジン排気温度
【図１】
2015151910.tif 000003
【図２】
2015151910.tif 000004
【図３】
2015151910.tif 000005
【図４】
2015151910.tif 000006
【図５】
2015151910.tif 000007
【図６】
2015151910.tif 000008
【図７】
2015151910.tif 000009
【図８】
2015151910.tif 000010
【図９】
2015151910.tif 000011
【図１０】
2015151910.tif 000012
【図１１】
2015151910.tif 000013
【図１２】
2015151910.tif 000014
【図１３】
2015151910.tif 000015
【図１４】
2015151910.tif 000016